(57)【特許請求の範囲】
【請求項１】
走行機体の後部に装着され、該走行機体から動力を受け、元畦及び圃場を耕耘して畦状に盛り上げる前処理体、及びこの前処理体により耕耘された土壌を回転しながら畦に成形するドラム状の整畦体を備え、本体に対して前処理体及び整畦体を左右にオフセット可能に構成した畦塗り機において、
本体に対して平行リンクを介して前処理体及び整畦体の支持フレームを左右方向に移動可能に支持し、該支持フレームと平行リンクの一方との間にシリンダ機構を設けて前処理体及び整畦体のオフセット量を調節可能とし、シリンダ機構のシリンダに嵌挿されるロッドの先端部に弾力のあるクッション部材を設けたことを特徴とする畦塗り機。
【発明の詳細な説明】
【０００１】
【発明の属する技術分野】
本発明は、走行機体の後部に装着され、該走行機体から動力を受けて駆動する整畦体及び前処理体を備えた畦塗り機に関し、特に整畦体及び前処理体をオフセット可能に取付けたものに関する。
【０００２】
【従来の技術】
従来、走行機体の後部に装着され、該走行機体から動力を受け、元畦及び圃場を耕耘して畦状に盛り上げる前処理体、及びこの前処理体により耕耘された土壌を回転しながら畦に成形するドラム状の整畦体を備え、本体に対して前処理体及び整畦体を左右にオフセット可能に構成した畦塗り機が周知である。
【０００３】
上記本体に対して前処理体及び整畦体を左右にオフセットする構成としては各種のものが考えられるが、例えば、前処理体及び整畦体のオフセット量を調節する手段として手動式のシリンダ機構を用いることが、従来から一般に知られている。
【０００４】
【発明が解決しようとする課題】
上記手動式のシリンダ機構においては、シリンダ機構のシリンダに嵌挿されるロッドを移動させて、シリンダとロッドにロック用のピンを挿通して固定し、前処理体及び整畦体のオフセット量を調節するようにしているが、ロック用のピンは剛体のため、シリンダとロッドの加工精度が悪いと、シリンダとロッドの挿通孔が互いに合い難く、操作が面倒であった。また、シリンダとロッドとの間にガタつきを生じ、騒音を発したり、ロッドやピンを損傷することがあった。本発明は、このような問題点を解決することを目的になされたものである。
【０００５】
【課題を解決するための手段】
上記の目的を達成するために本発明は、走行機体の後部に装着され、該走行機体から動力を受け、元畦及び圃場を耕耘して畦状に盛り上げる前処理体、及びこの前処理体により耕耘された土壌を回転しながら畦に成形するドラム状の整畦体を備え、本体に対して前処理体及び整畦体を左右にオフセット可能に構成した畦塗り機において、
本体に対して平行リンクを介して前処理体及び整畦体の支持フレームを左右方向に移動可能に支持し、該支持フレームと平行リンクの一方との間にシリンダ機構を設けて前処理体及び整畦体のオフセット量を調節可能とし、シリンダ機構のシリンダに嵌挿されるロッドの先端部に弾力のあるクッション部材を設けたことを特徴としている。
【０００６】
【作用】
上記の構成により本発明の畦塗り機は、前処理体及び整畦体のオフセット量を調節するとき、ロック用ピンを抜き取ってシリンダに対してロッドを移動させ、シリンダとロッドの挿通孔にロック用ピンを挿通する際のシリンダとロッドの挿通孔の孔合わせが、ロッドがクッション部材によりわずかに移動することで容易に行われ、短時間で操作ができる。また、ロッドはクッション部材を介してシリンダと接するので、緩衝作用が働いて騒音を発したり、ロッドやピンを損傷することがない。
【０００７】
【発明の実施の形態】
以下、本発明の実施の形態を添付の図面を参照して具体的に説明する。
図１ないし図３において、符号１は図示しないトラクタの後部に設けられたトップリンク及びロアリンクからなる三点リンク連結機構に連結されて、整畦作業を行う畦塗り機である。この畦塗り機１は、伝動フレームを兼ねる本体フレーム２を、機体の進行方向と直交するようにして設けている。この本体フレーム２には、前端部から前方に向け突出し、トラクタのＰＴＯ軸からユニバーサルジョイント及び伝動軸を介して動力を受ける入力軸３を設け、また、上方に突出するトップリンク連結部４を設けると共に、左右にロアリンク連結部５，５を設け、トラクタの三点リンク連結機構に連結するようにしている。
【０００８】
元畦及び圃場を耕耘して畦状に盛り上げるロータリ耕耘装置からなる前処理体７、及びこの前処理体７の後方に、前処理体７により耕耘された土壌を畦に成形する多角円錐状ドラムからなる整畦体８が、伝動フレーム２にオフセット用平行リンク９を介して支持され、伝動・支持フレーム１０と一体的に連繋された伝動・支持フレーム６により連結支持されている。そして、トラクタから入力軸３に受けた動力は、本体フレーム２からＷジョイント（広角ジョイント）付きのスプライン伝動軸１１−伝動・支持フレーム１０−伝動・支持フレーム６を介して前処理体７及び整畦体８に伝達され、それぞれ所定方向に回転させて作業を行うようにしている。
【０００９】
前処理体７は、その回転軸１２の軸心を機体の進行方向と平行に配設し、この回転軸１２の軸周に複数の耕耘爪１３を取付けて、元畦の一部及び圃場を耕耘して元畦に対して畦状に盛り上げるようにしている。前処理体７により畦状に盛り上げられた土壌は整畦体８が回転しながら畦状に成形する。整畦体８には上下調整装置１５が設けられていて、上下調節が可能である。
【００１０】
前処理体７はカバー１６により覆われており、このカバー１６は左右調整装置１４により左右にスライド可能である。また、前処理体７の外側部はサイドカバー１７により覆われるが、このサイドカバー１７は自動的に上下動するように支持されている。また、サイドカバー１７の下部にはゴム板のような弾性板が取付けられていて、畦土に接したとき弾性変形し、復帰するフレキシブルな構造となっている。
【００１１】
上記整畦体８は、伝動フレーム６ａ終端部から機体側方に向け突出した図示しない回転軸に対して、その基部８ａを図示しないドラムボスを介して複数（図面では４個）の固定ボルト１８により取付けられる。整畦体基部８ａのドラムボスへの取付け面と、ドラムボスの整畦体８を取付けるドラム取付け面とは、回転軸に対して互いに偏心して設けられている。そして、整畦体８の基部をドラムボスに対して周方向に移動させて固定ボルト１８により固定することにより、整畦体８の偏心量（振れ幅）を変更可能としている。
【００１２】
整畦体８は、この実施例では１２角の稜線と平面部を有する多角円錐状ドラム８と、このドラム８の中心部分から水平方向に突出している水平筒状体８ｂとからなり、多角円錐状ドラム８が偏心回転することにより、多角の稜線と平面部が偏心しながら回転して畦法面を叩いて整畦し、水平筒状体８ｂにより畦頂部を平面状に成形するようにしている。
【００１３】
多角円錐状ドラム８の上方は、支持フレーム１０に支持されたカバー１９により覆われているが、このカバー１９は、整畦体８の安全に必要な部分のみを覆う大きさ、形状であり、かつ、トラクタの操縦者が円錐状ドラム８の作業状態を観察しうる状態に設けられている。そして、機体の前進と共に前処理体７により掘削された土壌を、前述のように多角円錐状ドラム８によって元畦の傾斜面に塗り付け、また、元畦の水平頂部を水平筒状体８ｂにより塗り付けて整畦するようにしている。
【００１４】
上記支持フレーム１０の左側端部と一方の平行リンク９間には、図４及び図５に詳細に示すオフセット量調節用シリンダ機構２０が設けられている。このシリンダ機構２０は、シリンダ２０ａと、ロッド２０ｂと、ロックピン２０ｃと、ストッパ用ピン２０ｄと、複数のストッパ用ピン挿通孔２０ｅからなり、ロックピン２０ｃとストッパ用ピン２０ｄの差替えにより、前処理体７及び整畦体８をオフセットしない図１、図２の状態から図６の最大限オフセットした状態まで、段階的に調節可能となっている。また、シリンダ２０ａに嵌挿されるロッド２０ｂの先端部に弾力のあるゴムのようなクッション部材２１を設けている。
【００１５】
支持フレーム１０の左側端部には、三角ディスク状のゲージホイール２２が上下調節支持部２３により上下調節可能に設けられている。また、このゲージホイール２２の前側下方にはキャスタ付きスタンド２４がスタンド支持部２５に着脱可能に設けられている。さらに、前処理体７の外側端部下方にもスタンド２６が着脱可能に設けられている。これらスタンド２４，２６は作業中は不要なものであり、着脱可能とするか、あるいは折り畳み可能に設けられる。
【００１６】
畦塗り機１の平面視ほぼ中央部には、機体の前後水平状態を検出する前後水平水準器２７と、機体の左右水平状態を検出する左右水平水準器２８とが設けられ、機体の水平状態を検出して、アジャストするようにしている。
【００１７】
このような構成の畦塗り機１においては、前処理体７及び整畦体８が伝動・支持フレーム６により支持され、トラクタから入力軸３に受けた動力は本体フレーム２からＷジョイント（広角ジョイント）付きのスプライン伝動軸１１−伝動・支持フレーム１０−伝動・支持フレーム６を介して前処理体７及び整畦体８に伝達される。前処理体７では元畦の一部及び圃場を耕耘して元畦に対して畦状に盛り上げ、その耕耘された土壌を多角円錐状ドラム８の多角の稜線と平面部が偏心しながら回転して畦法面を叩いて畦に成形する。
【００１８】
多角円錐状ドラム８では、その基部８ａがドラムボスに対して固定ボルト１８により取付けられているが、整畦体基部８ａのドラムボスへの取付け面をドラムボスのドラム取付け面に対して周方向に移動させて固定ボルト１８により固定することにより、整畦体８の偏心量（振れ幅）を所定範囲で（実施例では３段階に）変更することができる。
【００１９】
そして、前処理体７により、元畦及び圃場が耕耘されて畦状に盛り上げる土壌の土質、水分等により、多角円錐状ドラム８の振れ幅を変更して土質や土壌水分に合った適切な整畦作業が行われる。また、圃場の形状や土壌の状態などに応じて前処理体７及び整畦体８をオフセットさせた方がよい場合には、オフセット量調節用シリンダ機構２２のシリンダ２２ａ、ロッド２２ｂ、ロックピン２２ｃ、ストッパ用ピン２０ｄを操作してオフセット量を調節し、適切な状態で整畦作業を行うことができる。
【００２０】
【発明の効果】
以上説明したように本発明の畦塗り機によれば、本体に対して平行リンクを介して前処理体及び整畦体の支持フレームを左右方向に移動可能に支持し、該支持フレームと平行リンクの一方との間にシリンダ機構を設けて前処理体及び整畦体のオフセット量を調節可能とし、シリンダ機構のシリンダに嵌挿されるロッドの先端部に弾力のあるクッション部材を設けたので、前処理体及び整畦体のオフセット量を調節するとき、ロック用ピンを抜き取ってシリンダに対してロッドを移動させ、シリンダとロッドの挿通孔にロック用ピンを挿通する際のシリンダとロッドの挿通孔の孔合わせが、ロッドがクッション部材によりわずかに移動することで容易に行うことができ、短時間で操作することができる。また、ロッドはクッション部材を介してシリンダと接しているので、緩衝作用が働いて騒音を発したり、ロッドやピンを損傷するのを防止することができる。
【図面の簡単な説明】
【図１】本発明による畦塗り機の平面図である。
【図２】同畦塗り機の背面図である。
【図３】同畦塗り機の側面図である。
【図４】シリンダ機構のロッドを伸長した状態の断面図である。
【図５】シリンダ機構のロッドを収縮した状態の断面図である。
【図６】畦塗り機の前処理体及び整畦体をオフセットした状態の平面図である。
【符号の説明】
１    畦塗り機
２    本体フレーム（伝動フレーム）
３    入力軸
４    トップリンク連結部
５    ロアリンク連結部
６    伝動・支持フレーム  ６ａ  伝動フレーム
７    前処理体
８    整畦体（多角円錐状ドラム）  ８ａ  整畦体の基部  ８ｂ  水平筒状体
９    オフセット用平行リンク
１０  伝動・支持フレーム
１１  Ｗジョイント（広角ジョイント）付きのスプライン伝動軸
１２  回転軸
１３  耕耘爪
１４  左右調整装置
１５  上下調整装置
１６  前処理体のカバー
１７  サイドカバー
１８  固定ボルト
１９  整畦体のカバー
２０  オフセット量調節用シリンダ機構  ２０ａ  シリンダ  ２０ｂ  ロッド
２０ｃ  ロックピン  ２０ｄ  ストッパ用ピン  ２０ｅ  ストッパ用ピン挿通孔
２１  クッション部材
２２  ゲージホイール
２３  上下調節支持部
２４，２６  スタンド
２５  スタンド支持部
２７  前後水平水準器
２８  左右水平水準器
【図１】
0003965247.tif 000002
【図２】
0003965247.tif 000003
【図３】
0003965247.tif 000004
【図４】
0003965247.tif 000005
【図５】
0003965247.tif 000006
【図６】
0003965247.tif 000007